【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
複数の電力供給源が供給する電力を使用して、エネルギーを蓄えるエネルギー蓄積装置がエネルギーを蓄積中であることを示す信号を取得するエネルギー蓄積状態取得部と、
前記エネルギーを蓄積中に前記複数の電力供給源が供給する電力のうち、第一の電力供給源が供給する第一の電力の値を取得する第一の電力取得部と、
前記エネルギーを蓄積中に前記複数の電力供給源が供給する電力のうち、第二の電力供給源が供給する第二の電力の値を取得する第二の電力取得部と、
前記第一の電力取得部が取得した前記第一の電力の値と、前記第二の電力取得部が取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量とを計算するエネルギー構成計算部と、
前記エネルギー構成計算部が計算した前記第一の電力を使用して蓄えたエネルギー量の情報および前記第二の電力を使用して蓄えたエネルギー量の情報の少なくとも一方を出力する制御部と、
を備え、
前記エネルギー蓄積状態取得部は、前記エネルギー蓄積装置に蓄積された後消費された使用エネルギー量を取得し、
前記エネルギー構成計算部は、前記エネルギー蓄積装置が蓄えたエネルギー量のうち、前記第二の電力を使用して蓄えたエネルギー量から、前記使用エネルギー量を減算して、前記第二の電力を使用して蓄えたエネルギー量を更新することにより、前記エネルギー蓄積装置が蓄えたエネルギー量の残量を計算する
ことを特徴とする情報出力制御装置。
【請求項２】
前記エネルギー構成計算部は、前記使用エネルギー量を減算することによって前記第二の電力を使用して蓄えたエネルギー量がゼロになったときは、前記第一の電力を使用して蓄えたエネルギー量から前記使用エネルギー量を減算して、前記第一の電力を使用して蓄えたエネルギー量を更新することにより、前記エネルギー蓄積装置が蓄えたエネルギー量の残量を計算する
ことを特徴とする請求項１に記載の情報出力制御装置。
【請求項３】
前記制御部は、前記エネルギー構成計算部が計算した前記第一の電力を使用して蓄えたエネルギー量の情報および前記第二の電力を使用して蓄えたエネルギー量の情報を区別して出力する
ことを特徴とする請求項２に記載の情報出力制御装置。
【請求項４】
複数の電力供給源が供給する電力を使用して、エネルギーを蓄えるエネルギー蓄積装置がエネルギーを蓄積中であることを示す信号を取得するエネルギー蓄積状態取得部と、
前記エネルギーを蓄積中に前記複数の電力供給源が供給する電力のうち、第一の電力供給源が供給する第一の電力の値を取得する第一の電力取得部と、
前記エネルギーを蓄積中に前記複数の電力供給源が供給する電力のうち、第二の電力供給源が供給する第二の電力の値を取得する第二の電力取得部と、
前記第一の電力取得部が取得した前記第一の電力の値と、前記第二の電力取得部が取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量とを計算するエネルギー構成計算部と、
前記エネルギー構成計算部が計算した前記第二の電力を使用して蓄えたエネルギー量から、前記エネルギー蓄積装置がエネルギーを蓄積するのに使用した電力が、前記第一の電力供給源と前記第二の電力供給源のうち、いずれが供給したかを示す情報を出力する制御部と、
を備える情報出力制御装置。
【請求項５】
前記エネルギー蓄積装置は、前記複数の電力供給源が供給する電力を使用して生成した湯を、熱エネルギーとして貯湯タンクに蓄積する貯湯式給湯機を含み、
前記制御部は、前記貯湯タンクを模式的に表した表示マーク内に、前記第一の電力を使用して蓄えた熱エネルギー量の情報および前記第二の電力を使用して蓄えた熱エネルギー量の情報を区別して表示するよう表示装置を制御する
ことを特徴とする請求項３に記載の情報出力制御装置。
【請求項６】
前記エネルギー蓄積装置は、前記複数の電力供給源が供給する電力を電気エネルギーとして、蓄電池に蓄積する蓄電装置を含み、
前記制御部は、前記蓄電池を模式的に表した表示マーク内に、前記第一の電力を使用して蓄えたエネルギー量の情報および前記第二の電力を使用して蓄えたエネルギー量の情報を区別して表示するよう表示装置を制御する
ことを特徴とする請求項３に記載の情報出力制御装置。
【請求項７】
前記エネルギー蓄積装置は、前記複数の電力供給源が供給する電力を使用して生成した湯を、熱エネルギーとして貯湯タンクに蓄積する貯湯式給湯機を含み、
前記制御部は、前記エネルギー蓄積装置が蓄積した熱エネルギーが前記第一の電力を使用して蓄えた熱エネルギーであるか、前記第二の電力を使用して蓄えた熱エネルギーであるかを表示するよう表示装置を制御する
ことを特徴とする請求項４に記載の情報出力制御装置。
【請求項８】
前記エネルギー蓄積装置は、前記複数の電力供給源が供給する電力を電気エネルギーとして、蓄電池に蓄積する蓄電装置を含み、
前記制御部は、前記エネルギー蓄積装置が蓄積した電気エネルギーが、前記第一の電力を使用して蓄えた電気エネルギーであるか、前記第二の電力を使用して蓄えた電気エネルギーであるかを表示するよう表示装置を制御する
ことを特徴とする請求項４に記載の情報出力制御装置。
【請求項９】
複数の電力供給源が供給する電力を使用して生成した湯を、熱エネルギーとして蓄積する貯湯タンクと、
前記貯湯タンクに前記熱エネルギーを蓄積中であることを送信する送信部と、を有する貯湯式給湯機と、
前記貯湯式給湯機と通信可能な情報出力制御装置であって、
前記貯湯式給湯機が湯を貯湯タンクに蓄積中であることを示す信号を取得するエネルギー蓄積状態取得部と、
前記湯を蓄積中に前記複数の電力供給源が供給する電力のうち、第一の電力供給源が供給する第一の電力の値を取得する第一の電力取得部と、
前記湯を蓄積中に前記複数の電力供給源が供給する電力のうち、第二の電力供給源が供給する第二の電力の値を取得する第二の電力取得部と、
前記第一の電力取得部が取得した前記第一の電力の値と、前記第二の電力取得部が取得した前記第二の電力の値との比から、前記貯湯式給湯機が蓄えた熱エネルギー量のうち、前記第一の電力を使用して蓄えた熱エネルギー量と、前記第二の電力を使用して蓄えた熱エネルギー量とを計算するエネルギー構成計算部と、
前記エネルギー構成計算部が計算した前記第一の電力を使用して蓄えた熱エネルギー量の情報および前記第二の電力を使用して蓄えた熱エネルギー量の情報の少なくとも一方を出力する制御部と、を有する前記情報出力制御装置と、
前記貯湯式給湯機が前記貯湯タンクに蓄積した湯が含まれる湯水であって、出湯先が吐水する湯水を照らす光源と、
前記貯湯タンクに蓄積した湯を生成するのに使用した電力供給源に対応して、前記光源を制御する光源制御部と、
を備え、
前記光源制御部は、前記第二の電力を使用して蓄えた熱エネルギー量にもとづいて、前記光源の発光を制御する
ことを特徴とするエネルギー蓄積システム。
【請求項１０】
前記光源制御部は、前記第二の電力を使用して蓄えた熱エネルギー量にもとづいて、前記第一の電力供給源を示す色、または前記第二の電力供給源を示す色のいずれかで前記光源を発光させる
ことを特徴とする請求項９に記載のエネルギー蓄積システム。
【請求項１１】
前記光源制御部は、前記第二の電力を使用して蓄えた熱エネルギー量が予め定めれらた値以下であるとき、前記第二の電力を使用して蓄えた熱エネルギー量にもとづいて、前記第二の電力供給源を示す色と前記第一の電力供給源を示す色とを混合した色で発光させる
ことを特徴とする請求項９に記載のエネルギー蓄積システム。
【請求項１２】
前記光源制御部は、前記第二の電力を使用して蓄えた熱エネルギー量にもとづいて、前記第一の電力供給源が供給する電力を使用して生成した湯を使用中、または前記第二の電力供給源が供給する電力を使用して生成した湯を使用中のいずれかのみ前記光源を発光させる
ことを特徴とする請求項９ に記載のエネルギー蓄積システム。
【請求項１３】
請求項４に記載の情報出力制御装置と、
前記情報出力制御装置と通信可能な貯湯式給湯機であって、
前記複数の電力供給源が供給する電力を使用して生成した湯を、熱エネルギーとして蓄積する貯湯タンクと、
前記貯湯タンクに前記熱エネルギーを蓄積中であることを前記情報出力制御装置に送信する送信部と、を有する前記貯湯式給湯機と、
前記貯湯式給湯機が前記貯湯タンクに蓄積した湯が含まれる湯水であって、出湯先が吐水する湯水を照らす光源と、
前記貯湯タンクに蓄積した湯を生成するのに使用した電力供給源に対応して、前記光源を制御する光源制御部と、
を備え、
前記光源制御部は、前記貯湯タンクに蓄積した湯を生成するのに使用した電力供給源に対応するよう予め定められた色で前記光源を発光させる
ことを特徴とするエネルギー蓄積システム。
【請求項１４】
複数の電力供給源が供給する電力を使用して、エネルギーを蓄えるエネルギー蓄積装置にエネルギーを蓄積中であることを示す信号を取得するエネルギー蓄積状態取得部と、
前記エネルギーを蓄積中に前記複数の電力供給源が供給する電力のうち、第一の電力供給源が供給する第一の電力の値を取得する第一の電力取得部と、
前記エネルギーを蓄積中に前記複数の電力供給源が供給する電力のうち、第二の電力供給源が供給する第二の電力の値を取得する第二の電力取得部と、
前記第一の電力取得部が取得した前記第一の電力の値と、前記第二の電力取得部が取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量を計算するエネルギー構成計算部と、
前記エネルギー構成計算部が計算した前記第二の電力を使用して蓄えたエネルギー量から、前記エネルギー蓄積装置が蓄積したエネルギーを生成するのに使用した電力供給源に対応する色の情報を出力する制御部と、
を備える情報出力制御装置。
【請求項１５】
請求項１４に記載の情報出力制御装置と、
前記情報出力制御装置と通信可能な貯湯式給湯機であって、
前記複数の電力供給源が供給する電力を使用して生成した湯を、熱エネルギーとして蓄積する貯湯タンクと、
前記貯湯タンクに前記熱エネルギーを蓄積中であることを前記情報出力制御装置に送信する送信部と、を有する前記貯湯式給湯機と、
前記貯湯式給湯機が前記貯湯タンクに蓄積した湯が含まれる湯水であって、出湯先が吐水する湯水を照らす光源と、
前記貯湯タンクに蓄積した湯を生成するのに使用した電力供給源に対応する色の情報にもとづいて、前記光源を制御する光源制御部と、
を備え、
前記光源制御部は、前記貯湯タンクに蓄積した湯を生成するのに使用した電力供給源に対応する色の情報を前記光源の発光指示色として、前記光源を発光させる
ことを特徴とするエネルギー蓄積システム。
【請求項１６】
複数の電力供給源が供給する電力を使用して生成した湯を、熱エネルギーとして蓄積する貯湯タンクと、
前記貯湯タンクに前記熱エネルギーを蓄積中であることを送信する送信部と、を有する貯湯式給湯機と、
前記貯湯式給湯機と通信可能な情報出力制御装置であって、
前記貯湯式給湯機が湯を貯湯タンクに蓄積中であることを示す信号を取得するエネルギー蓄積状態取得部と、
前記湯を蓄積中に前記複数の電力供給源が供給する電力のうち、第一の電力供給源が供給する第一の電力の値を取得する第一の電力取得部と、
前記湯を蓄積中に前記複数の電力供給源が供給する電力のうち、第二の電力供給源が供給する第二の電力の値を取得する第二の電力取得部と、
前記第一の電力取得部が取得した前記第一の電力の値と、前記第二の電力取得部が取得した前記第二の電力の値との比から、前記貯湯式給湯機が蓄えた熱エネルギー量のうち、前記第一の電力を使用して蓄えた熱エネルギー量と、前記第二の電力を使用して蓄えた熱エネルギー量とを計算するエネルギー構成計算部と、
前記エネルギー構成計算部が計算した前記第一の電力を使用して蓄えた熱エネルギー量の情報および前記第二の電力を使用して蓄えた熱エネルギー量の情報の少なくとも一方を出力する制御部と、を有する前記情報出力制御装置と、
前記貯湯式給湯機が前記貯湯タンクに蓄積した湯が含まれる湯水であって、出湯先が吐水する湯水に空気を含ませる空気混入部と、
を備え、
前記空気混入部は、前記第二の電力を使用して蓄えた熱エネルギー量にもとづいて、前記湯水に空気を混入させる
ことを特徴とするエネルギー蓄積システム。
【請求項１７】
請求項４に記載の情報出力制御装置と、
前記情報出力制御装置と通信可能な貯湯式給湯機であって、
前記複数の電力供給源が供給する電力を使用して生成した湯を、熱エネルギーとして蓄積する貯湯タンクと、
前記貯湯タンクに前記熱エネルギーを蓄積中であることを前記情報出力制御装置に送信する送信部と、を有する前記貯湯式給湯機と、
前記貯湯式給湯機が前記貯湯タンクに蓄積した湯が含まれる湯水であって、出湯先が吐水する湯水に空気を含ませる空気混入部と、
を備え、
前記空気混入部は、前記貯湯タンクに蓄積した湯を生成するのに使用した電力供給源に対応して、前記湯水に空気を混入させる
ことを特徴とするエネルギー蓄積システム。
【請求項１８】
エネルギー蓄積状態取得部が複数の電力供給源が供給する電力を使用して、エネルギーを蓄えるエネルギー蓄積装置がエネルギーを蓄積中であることを示す信号を取得するエネルギー蓄積状態取得ステップと、
第一の電力取得部が前記エネルギーを蓄積中に前記複数の電力供給源が供給する電力のうち、第一の電力供給源が供給する第一の電力の値を取得する第一の電力取得ステップと、
第二の電力取得部が前記エネルギーを蓄積中に前記複数の電力供給源が供給する電力のうち、第二の電力供給源が供給する第二の電力の値を取得する第二の電力取得ステップと、
エネルギー構成計算部が前記第一の電力取得ステップで取得した前記第一の電力の値と、前記第二の電力取得ステップで取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量とを計算するエネルギー構成計算ステップと、
制御部が前記エネルギー構成計算ステップで計算した前記第一の電力を使用して蓄えたエネルギー量の情報および前記第二の電力を使用して蓄えたエネルギー量の情報の少なくとも一方を出力する制御ステップと、
を有し、
前記エネルギー蓄積状態取得ステップは、前記エネルギー蓄積装置に蓄積された後消費された使用エネルギー量を取得し、
前記エネルギー構成計算ステップは、前記エネルギー蓄積装置が蓄えたエネルギー量のうち、前記第二の電力を使用して蓄えたエネルギー量から、前記使用エネルギー量を減算して、前記第二の電力を使用して蓄えたエネルギー量を更新することにより、前記エネルギー蓄積装置が蓄えたエネルギー量の残量を計算する
ことを特徴とするエネルギー蓄積方法。
【請求項１９】
コンピュータに、
複数の電力供給源が供給する電力を使用して、エネルギーを蓄えるエネルギー蓄積装置がエネルギーを蓄積中であることを示す信号を取得するエネルギー蓄積状態取得ステップ、
前記エネルギーを蓄積中に前記複数の電力供給源が供給する電力のうち、第一の電力供給源が供給する第一の電力の値を取得する第一の電力取得ステップ、
前記エネルギーを蓄積中に前記複数の電力供給源が供給する電力のうち、第二の電力供給源が供給する第二の電力の値を取得する第二の電力取得ステップ、
前記第一の電力取得ステップで取得した前記第一の電力の値と、前記第二の電力取得ステップで取得した前記第二の電力の値との比から、前記エネルギー蓄積装置が蓄えたエネルギー量のうち、前記第一の電力を使用して蓄えたエネルギー量と、前記第二の電力を使用して蓄えたエネルギー量とを計算するエネルギー構成計算ステップ、
前記エネルギー構成計算ステップで計算した前記第一の電力を使用して蓄えたエネルギー量の情報および前記第二の電力を使用して蓄えたエネルギー量の情報の少なくとも一方を出力する制御ステップ、
を実行させるためのプログラムであって、
前記エネルギー蓄積状態取得ステップは、前記エネルギー蓄積装置に蓄積された後消費された使用エネルギー量を取得し、
前記エネルギー構成計算ステップは、前記エネルギー蓄積装置が蓄えたエネルギー量のうち、前記第二の電力を使用して蓄えたエネルギー量から、前記使用エネルギー量を減算して、前記第二の電力を使用して蓄えたエネルギー量を更新することにより、前記エネルギー蓄積装置が蓄えたエネルギー量の残量を計算する
ことを特徴とする前記プログラム。